(57)【要約】【課題】  光ピックアップ装置のコリメータレンズの固定構造において、部品点数の削減およびアセンブリ工程における取付けおよび位置調整の作業の容易化を図る。【解決手段】  ベースフレーム１０に複数の光学部品が取り付けられてなり光ディスクの記録面にレーザ光を照射してデータの再生又は記録を行う光ピックアップ装置１において、複数の光学部品のうちコリメータレンズ２１を保持するとともに変形して弾性を生じるバネ部２３，２４が一体形成されたレンズホルダ２０を備える一方、ベースフレーム１０にはレンズホルダ２０を挿入可能とするとともに、レンズホルダ２０を一方向にスライド可能に位置決めする位置決め用当接面１２１Ａ，１２１Ｂと、バネ部２３，２４を受けるバネ当接面１２２とを有する収容穴１２を設ける。【選択図】        図１
2005149607.tif 000002
【特許請求の範囲】
【請求項１】
ベースフレームに複数の光学部品が取り付けられてなり光ディスクの記録面にレーザ光を照射してデータの再生又は記録を行う光ピックアップ装置において、
上記複数の光学部品のうちコリメータレンズ、或いは光ディスクからの反射ビームを検出する光センサの前段に配置される検出レンズを保持する部品ホルダを備え、
上記ベースフレームには上記部品ホルダを挿入可能とする収容穴および該収容穴に通じる貫通孔が設けられ、
上記部品ホルダは、一方の側が半円筒の外周面形状にされるとともに、他方の側に変形して弾性を生じるバネ部が一体形成され、且つ、上記貫通孔に臨む箇所に位置調整用ピンに係合する溝が設けられ、
当該ベースフレームの上記収容穴は、上記部品ホルダの上記一方の面に当接して該部品ホルダを一方向にスライド可能に位置決めする位置決め用当接面と、上記バネ部を受けるバネ当接面とを有することを特徴とする光ピックアップ装置。
【請求項２】
ベースフレームに複数の光学部品が取り付けられてなり光ディスクの記録面にレーザ光を照射してデータの再生又は記録を行う光ピックアップ装置において、
上記複数の光学部品のうち第１の光学部品を保持するとともに変形して弾性を生じるバネ部が一体形成された部品ホルダを備え、
上記ベースフレームには、上記部品ホルダを挿入可能とするとともに上記部品ホルダを一方向にスライド可能に位置決めする位置決め用当接面と、上記バネ部を受けるバネ当接面とを有する収容穴が設けられていることを特徴とする光ピックアップ装置。
【請求項３】
上記ベースフレームには、上記収容穴に通じる貫通孔が設けられ、上記部品ホルダの上記貫通孔に臨む箇所に位置調整用ピンに係合する溝が設けられていることを特徴とする請求項２記載の光ピックアップ装置。
【請求項４】
上記部品ホルダは上記位置決め用当接面に当接される面が半円筒の外周面の形状にされていることを特徴とする請求項２又は３に記載の光ピックアップ装置。
【請求項５】
上記第１の光学部品は、コリメータレンズ、或いは光ディスクからの反射ビームを検出する光センサの前段に配置される検出レンズであることを特徴とする請求項２〜４の何れかに記載の光ピックアップ装置。
【発明の詳細な説明】
【技術分野】
【０００１】
この発明は、レーザ光を光ディスクの記録面に照射する光ピックアップ装置における光学部品の取付け構造に関する。
【背景技術】
【０００２】
以前より、ベースフレームに複数の光学部品を取り付けてなる光ピックアップ装置において、位置調整を必要とするコリメータレンズ等の光学部品は次のように取り付けられるのが一般的であった。
【０００３】
すなわち、光学部品をプラスチック製のレンズホルダに保持させるとともに、このレンズホルダをベースフレームに形成された取付け穴の中に挿入した後、レンズホルダの一部を押える板バネ等をベースフレームにネジ止着してレンズホルダを固定する。その後、レンズホルダの側面に設けられた溝に位置調整用のピンを係合させ、ピンを動かしてレンズホルダを前後にスライドさせ位置調整を行う。
【０００４】
また、光学部品の取付け構造として、複数の光学部品を樹脂製のブロックに精度良く取り付けた後に、このブロックを光ピックアップのフレームに取り付ける構成も提案されている（特許文献１）。
【特許文献１】特開平１１−３０６５４９号公報
【発明の開示】
【発明が解決しようとする課題】
【０００５】
位置の微調整が必要なコリメータレンズなどの光学部品をベースフレームに取付ける上記従来の方法では、レンズホルダに加えて板バネやネジなどの固定用の部品が必要となり、その部品点数が多くなるという課題があった。
【０００６】
また、上記従来の板バネでレンズホルダを固定する構造では、板バネをネジ止着する際に、板バネの止着位置や止着角度のちょっとしたばらつきにより、レンズホルダを固定する力の大きさや向きが変わって、レンズホルダを位置調整する際にレンズホルダがスムースにスライドしなくなったり、或いは無理やり動かすとレンズホルダが傾いてしまったりと不都合を生じることがあった。
【０００７】
この発明の目的は、部品点数の削減およびアセンブリ工程における作業の容易化を図ることのできる光ピックアップ装置を提供することにある。
【課題を解決するための手段】
【０００８】
本発明は、上記目的を達成するため、ベースフレームに複数の光学部品が取り付けられてなり光ディスクの記録面にレーザ光を照射してデータの再生又は記録を行う光ピックアップ装置において、上記複数の光学部品のうち第１の光学部品を保持するとともに変形して弾性を生じるバネ部が一体形成された部品ホルダを備え、上記ベースフレームには、上記部品ホルダを挿入可能とするとともに上記部品ホルダを一方向にスライド可能に位置決めする位置決め用当接面と、上記バネ部を受けるバネ当接面とを有する収容穴が設けられている構成とした。
【０００９】
このような手段によれば、部品ホルダにそのもの自体をベースフレームに押圧固定させるバネ部が設けられているので、従来の板バネやネジを別構成にする場合に比べて部品点数が少なくなる。
【００１０】
また、従来板バネの取り付け状態により、板バネによる部品ホルダの押さえ方にばらつきが生じることがあったが、本発明は部品ホルダにバネ部が一体化されているので、該バネ部により常に一定の状態で部品ホルダを押さえることが出来る。従って、従来のものでは、押さえ方のばらつきにより位置調整時に部品ホルダがスムースにスライドせず、無理やり動かすことで部品ホルダが斜めに倒れてしまうなどの不都合があったが、この発明ではこのような不都合を回避することが出来る。
【００１１】
望ましくは、上記ベースフレームには、上記収容穴に通じる貫通孔が設けられ、上記部品ホルダの上記貫通孔に臨む箇所に位置調整用ピンに係合する溝を設けると良い。この構成により、部品ホルダの位置調整を作業性良く行うことが出来る。
【００１２】
具体的には、上記部品ホルダは上記位置決め用当接面に当接される面が円筒の外周面の形状にされていると良い。このような構成により、部品ホルダをベースフレームの収容穴に入れるのが容易となり、また、収容穴内で部品ホルダを位置決めするのも容易となる。
【００１３】
また、具体的には、上記第１の光学部品は、コリメータレンズ、或いは光ディスクからの反射ビームを検出する光センサの前段に配置される検出レンズである。このように、光軸方向への位置調整を必要とする光学部品に適用することが出来る。
【発明の効果】
【００１４】
以上説明したように、本発明に従うと、光ピックアップ装置の部品点数の削減と、アセンブリー工程において作業者の熟練をさほど必要とせず、容易に部品を組み付けて、スムースに位置調整を行うことが出来るという効果がある。
【発明を実施するための最良の形態】
【００１５】
以下、本発明の実施の形態を図面に基づいて説明する。
【００１６】
図１は、本発明の実施の形態の光ピックアップ装置においてコリメータレンズと検出レンズの取付け構造を示す斜視図である。
【００１７】
この実施の形態の光ピックアップ装置１は、例えばＣＤ（コンパクトディスク）やＤＶＤ（デジタル多用途ディスク）などの光ディスクの記録面にレーザ光を照射してデータの記録と再生とを行うもので、例えば亜鉛ダイカストなどにより成形されてなるベースフレーム１０に、レーザ光を平行光にするコリメータレンズ２１、光ディスクからの反射ビームを検出する光センサの前段に設置される検出レンズ３１、図示は省略するが、レーザ光出力素子としての半導体レーザ、複数のビームを生成する回折格子、光ディスクへの進行ビームと反射ビームとを分離するビームスプリッタ、立上げミラー、光ディスクの記録面にレーザ光を集束させる対物レンズやそのサーボ機構等が設けられたものである。
【００１８】
これらのうちコリメータレンズ２１は部品ホルダとしてのレンズホルダ２０の中に保持されてベースフレーム１０に取り付けられ、その光軸方向に位置の微調整が可能にされている。
【００１９】
また同様に、検出レンズ３１も部品ホルダとしてのレンズホルダ３０の中に保持されてベースフレーム１０に取り付けられ、その光軸方向に位置の微調整が可能にされている。この検出レンズ３１は、例えば対物レンズのフォーカス制御やトラッキング制御のために反射ビームに非点収差を与えるシリンドリカルレンズやプリズムなどである。
【００２０】
図２には、コリメータレンズ２１を保持するレンズホルダ２０の三面図を示す。同図（ａ）は、その正面図、（ｂ）は左側面図、（ｃ）は底面図である。また、図３には、このレンズホルダ２０が挿入されるベースフレームの収容穴１２の部分を示す。同図（ａ）は、その正面図、（ｂ）は左側面図である。
【００２１】
このレンズホルダ２０は、プラスチック成型品からなり、コリメータレンズ２１を内部に保持する筒状のホルダ部２２と、所定の幅を有する帯片を隙間２３ｂを開けて弧を描くようにホルダ部２２の下側前方に設けてなる帯状バネ２３と、ホルダ部２２の下側後方にハの字状に広がるように設けられたバネ片２４，２４とを備えている。ホルダ部２２の上側半分の範囲の外周面は半円筒の外周面と同一形状にされている。
【００２２】
また、図２（ｂ）に示すように、このレンズホルダ２０の左側面には、位置調整ピンと係合する係合溝２６が設けられている。レンズホルダの後方に突出するように形成された突出部２５，２５は、レンズホルダ２０に隣接される立上げミラーを避けつつレンズホルダの奥行きの寸法を長くするためのものであり、その上側の外周面形状は、ホルダ部２２と同一形状に形成されている。
【００２３】
ベースフレーム１０には、図３（ｂ）に示すように、上記のレンズホルダ２０を収容する収容穴１２が設けられている。この収容穴１２の入り口の穴枠は、レンズホルダ２０に何も力を加えなければそのバネ片２４，２４と帯状バネ２３が引っ掛かって進入不可となるが、バネ片２４，２４と帯状バネ２３に力を加えてレンズホルダ２０を高さ方向に押し潰すことで進入可能となる大きさおよび形状をしている。そして、このような穴枠がレンズホルダ２０の奥行き寸法より少し深めのところまで連続するように形成されて収容穴１２が構成されている。
【００２４】
収容穴１２の一方の側（図３（ｂ）の上方）には、左右対称にハの字状に開いた傾斜面１２１Ａ，１２１Ｂが設けられ、ここにレンズホルダ２０のホルダ部２２の上部および突出部２５，２５が当接されて光軸に垂直な面方向の位置決めがなされるようになっている。また、収容穴１２の他方の側（図３（ｂ）の下方）には、平面状の基底面１２２が設けられ、ここに帯状バネ２３とバネ片２４，２４とが当接して押圧することで、レンズホルダ２０が収容穴１２内で固定されるようになっている。
【００２５】
図３（ａ）に示すように、上記収容穴１２に近いベースフレーム１０の左側面には、収容穴１２に通じる貫通孔１３が設けられている。この貫通孔１３は、レンズホルダ２０を収容穴１２に挿入したときにそのレンズホルダ２０の係合溝２６が臨む位置に設けられており、この貫通孔１３に例えば偏心ピンを差し込むことでその先端をレンズホルダ２０の係合溝２６に係合させることが可能になっている。さらに、この状態で偏心ピンを回転させることで、ピンがレンズホルダ２０を光軸方向にスライドさせて光軸方向の位置の微調整が行える。
【００２６】
図４には、検出レンズ３１を保持するレンズホルダ３０の三面図を示す。同図（ａ）はその正面図、（ｂ）は右側面図、（ｃ）は底面図である。また、図５には、このレンズホルダ３０が挿入されるベースフレーム１０の収容穴１５の部分を示す。同図（ａ）はその正面図、（ｂ）は底面図である。
【００２７】
このレンズホルダ３０は、プラスチック成型品からなり、検出レンズ３１を保持する矩形の枠３２ａが形成された筒状のホルダ部３２と、所定の幅を有する帯片を隙間３３ａを開けて弧を描くようにホルダ部３２の下側前方と下側後方に２個設けてなる帯状バネ３３、３３と、底面が平面状にされた基部３４とを備えている。ホルダ部３２の上側半分の外周面は円筒の外周面と同一形状にされている。また、レンズホルダ３０の基部３４の底面には、位置調整ピンと係合する係合溝３６が設けられている。
【００２８】
図５（ａ）に示すように、ベースフレーム１０には、このレンズホルダ３０を収容する収容穴１５が設けられている。この収容穴１５の入り口の穴枠は、レンズホルダ３０に何も力を加えなければ帯状バネ３３，３３が引っ掛かって進入不可となるが、帯状バネ３３，３３に力を加えてレンズホルダ３０を高さ方向に押し潰すことで進入可能となる大きさおよび形状をしている。そして、このような穴枠がレンズホルダ３０の奥行き寸法より少し深めの箇所まで続くように形成されて収容穴１５が構成されている。
【００２９】
収容穴１５の一方の側（図５（ａ）の上方）には、左右対称にハの字状に開いた傾斜面１５１Ａ，１５１Ｂが設けられ、ここにレンズホルダ３０のホルダ部３２の上部が当接されて光軸の垂直な面方向の位置決めがなされるようになっている。また、収容穴１５の他方の側（図５（ａ）の下方）には、平面状にされた基底面１５２が設けられ、ここにレンズホルダ３０の基部３４の底面が、僅かに隙間を開けて重なることで、レンズホルダ３０の光軸を中心とした回転方向のおおよその位置決めがなされるようになっている。また、この基底面１５２に帯状バネ３３が当接して押圧することで、レンズホルダ３０が収容穴１５内で固定されるようになっている。
【００３０】
また、ベースフレーム１０の底面で収容穴１５に近い箇所には、図５（ｂ）に示すように、収容穴１５に通じる貫通孔１６が設けられている。この貫通孔１６は、レンズホルダ３０を収容穴１５に挿入したときにそのレンズホルダ３０の係合溝３６が臨む位置に設けられており、この貫通孔１５から偏心ピンを差し込んで回転させることで、偏心ピンの先端が係合溝３６に作用して、レンズホルダ３０を光軸方向にスライドさせて光軸方向の位置の微調整が行えるようになっている。
【００３１】
以上のように、この実施の形態の光ピックアップ装置１によれば、レンズホルダ２０，３０にそのもの自体をベースフレーム１０に固定させる帯状バネ２３，３３，３３やバネ片３４，３４が設けられているので、従来のレンズホルダを押さえる板バネやネジを別構成にした場合と比べて部品点数が少なくなる。
【００３２】
また、別構成の板バネでレンズホルダを固定する従来の構造では、板バネの止着位置や角度がばらつくことで、レンズホルダの押さえ方にばらつきが生じることがあったが、この実施の形態ではレンズホルダ２０，３０に固定用のバネ（帯状バネ２３，３３やバネ片２４）が一体形成されているため、レンズホルダの固定状態にばらつきが生じにくい。従って、従来のものでは、押さえ方のばらつきにより位置調整時に部品ホルダがスムースにスライドしないという不都合の生じることがあったが、本実施の形態ではこのような不都合が生じない。
【００３３】
また、レンズホルダ２０，３０の一方の側を円筒の外周面の形状とし、他方の側にバネを設けているので、レンズホルダ２０，３０を収容穴１２，１５に入れる際の作業性も良好である。
【００３４】
なお、本発明は、上記実施の形態に限られるものではなく、様々な変更が可能である。例えば、部品ホルダのバネ部は、帯状バネ２３やバネ片２４のような形状のものに限られず、バネとして作用すればどのような形状のものを適用することも出来る。その他、レンズホルダ２０，３０や収容穴１２，１５の全体的な形状など、実施の形態で示した細部構造等は発明の趣旨を逸脱しない範囲で適宜変更可能である。
【図面の簡単な説明】
【００３５】
【図１】本発明の実施の形態の光ピックアップ装置においてコリメータレンズと検出レンズの取付け構造を示す斜視図である。
【図２】コリメータレンズを保持する第１レンズホルダを示すもので、（ａ）はその正面図、（ｂ）は左側面図、（ｃ）は底面図である。
【図３】ベースフレームに設けられた第１レンズホルダの収容穴の部分を示すもので、（ａ）はその正面図、（ｂ）は左側面図である。
【図４】検出レンズを保持する第２レンズホルダを示すもので、（ａ）はその正面図、（ｂ）は側面図、（ｃ）は底面図である。
【図５】ベースフレームに設けられた第２レンズホルダの収容穴の部分を示すもので、（ａ）はその正面図、（ｂ）は底面図である。
【符号の説明】
【００３６】
１      光ピックアップ装置
１０    ベースフレーム
１２，１５  収容穴
２０    レンズホルダ
２１    コリメータレンズ
２２    ホルダ部
２３    帯状バネ（バネ部）
２４    バネ片（バネ部）
２６    係合溝
３０    レンズホルダ（部品ホルダ）
３１    検出レンズ
３２    ホルダ部
３３    帯状バネ（バネ部）
３４    基部
３６    係合溝
１２１Ａ，１２１Ｂ    傾斜面（位置決め用当接面）
１２２  基底面（バネ当接面）
１５１Ａ，１５１Ｂ    傾斜面（位置決め用当接面）
１５２  基底面（バネ当接面）
【図１】
2005149607.tif 000003
【図２】
2005149607.tif 000004
【図３】
2005149607.tif 000005
【図４】
2005149607.tif 000006
【図５】
2005149607.tif 000007